【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
処理ユニットとストレージ媒体とを含むコンピューティング環境内において、対立する当事者間のビジネスインタラクションを管理する方法であって、
サービスプロバイダとサービスコンシューマとの間の前記ビジネスインタラクションを１つ又は複数のサービス契約にマッピングすることであって、前記サービス契約は、前記サービスプロバイダと前記サービスコンシューマが合意する各種のパラメータを定義することと、
前記１つ又は複数のサービス契約を機械可読コードにマッピングすることであって、前記サービス契約は、ビジネストランザクションパターンの有限集合に含まれる１つ又は複数のビジネストランザクションパターンと、１つ又は複数のサービスインタラクションパターンとによって定義され、前記ビジネストランザクションパターンは、定義可能なプロパティ値を有する管理タスクの有限集合を含み、前記サービスプロバイダと前記サービスコンシューマとの間のビジネスインタラクションは、直列化された機械可読コードにマップ可能なことと、
ＩＴシステムにおいて前記機械可読コードを読み取ることと、
前記ビジネスインタラクションによって要求される義務を果たすことに関連する管理タスクを生成することと、
を１つ又は複数のコンピュータプロセッサが実行することを含み、
トランザクションパターンの前記有限集合と管理タスクは、
少なくとも、受け取り承認の時間、受け取り受諾の時間、実行時間、認証が必要な仕様、及び、オリジンとコンテンツの非拒否の仕様を含む提案及び受諾パターンと、
少なくとも実行時間を指定する照会／応答パターンと、
少なくとも実行時間を指定する要求／応答パターンと、
少なくとも実行時間を指定する要求／確認パターンと、
少なくとも受け取り承認の時間と実行時間を指定する情報配布パターンと、
少なくとも受け取り承認の時間と実行時間を指定する通知パターンと、
を含むことを特徴とする方法。
【請求項２】
管理タスクのパフォーマンスを監視することを更に含むことを特徴とする請求項１に記載の方法。
【請求項３】
前記１つ又は複数のサービス契約を機械可読コードにマッピングすることは、前記１つ又は複数のサービス契約をＷｅｂサービスで使用するためのＸＭＬコードブロックにマッピングすることを含むことを特徴とする請求項１に記載の方法。
【請求項４】
前記ビジネスインタラクションを１つ又は複数のサービス契約にマッピングすることは、前記ビジネスインタラクションを定型文書にマッピングすることを含むことを特徴とする請求項１に記載の方法。
【請求項５】
前記ビジネスインタラクションを１つ又は複数のサービス契約にマッピングすることは、契約の諸条件、及び、規制又は慣習法の要件の少なくとも１つを前記１つ又は複数のサービス契約にマッピングすることを含むことを特徴とする請求項１に記載の方法。
【請求項６】
前記ビジネスインタラクションを１つ又は複数のサービス契約にマッピングすることは、標準化された法的要件又は最善のビジネス手法の少なくとも１つを前記１つ又は複数のサービス契約にマッピングすることを含むことを特徴とする請求項１に記載の方法。
【請求項７】
前記標準化された法的要件及び／又は最善のビジネス手法は、ＵＮＥＣＥ  ＵＮ／ＣＥＦＡＣＴモデル化法（ＵＭＭ）又はＩＳＯ／ＩＥＣ  ＪＴＣ１  ＳＣ３２  ＷＧ１業務契約の意味的記述法ＩＳＯ／ＩＥＣ  ＦＣＤ１５９４４−３の少なくとも１つに成文化されていることを特徴とする請求項６に記載の方法。
【請求項８】
前記機械可読コードをＩＴシステムで読み込むことは、前記コードを使ってＩＴサービスライフサイクルの１つ又は複数の段階を実施することを含むことを特徴とする請求項１に記載の方法。
【請求項９】
前記１つ又は複数のサービス契約を機械可読コードにマッピングすることは、サービス定義又はサービス管理モデルの少なくとも１つにマッピングすることを含むことを特徴とする請求項１に記載の方法。
【請求項１０】
前記ビジネスインタラクションを１つ又は複数のサービス契約にマッピングすることは、サービス定義およびサービスコミットメントを生成することを含むことを特徴とする請求項１に記載の方法。
【請求項１１】
前記サービス定義は、サービス実装を定義し、前記サービス実装は、サービスポリシー、サービス設定又はサービス計測の少なくとも１つを定義することを特徴とする請求項１０に記載の方法。
【請求項１２】
前記サービス計測は、実行されるタスクを定義するイベント、デバッグおよび診断用のデータ提供のトレース、プローブ、又は、システム健全性を定義するパフォーマンスカウンタの少なくとも１つを定義することを特徴とする請求項１１に記載の方法。
【請求項１３】
前記サービスコミットメントは、前記サービス実装によって読み取られるサービス運用規則又はサービス履行規則の少なくとも１つを定義することを特徴とする請求項１０に記載の方法。
【請求項１４】
前記サービス運用規則又はサービス履行規則の少なくとも１つは、パラメータ、前記サービス契約で指定される前記諸条件を反映する条件、又は動作の少なくとも１つを含むことを特徴とする請求項１３に記載の方法。
【請求項１５】
前記動作は、サービス計測からのデータに基づいて管理タスクをトリガする警報又は電子メールの少なくとも１つを含むことを特徴とする請求項１４に記載の方法。
【請求項１６】
コンピュータ実行可能命令を記録するコンピュータ読み取り可能な記録媒体であって、
前記コンピュータ実行可能命令は、
サービスプロバイダとサービスコンシューマとの間の前記ビジネスインタラクションを１つ又は複数のサービス契約にマッピングすることであって、前記サービス契約は、前記サービスプロバイダと前記サービスコンシューマが合意する各種のパラメータを定義することと、
前記１つ又は複数のサービス契約をビジネストランザクションパターンの有限集合に含まれる１つ又は複数のビジネストランザクションパターンと１つ又は複数のサービスインタラクションパターンとによって定義される機械可読コードにマッピングすることであって、前記ビジネストランザクションパターンは、定義可能なプロパティ値を有する管理タスクの有限集合を含み、前記サービスプロバイダと前記サービスコンシューマとの間のビジネスインタラクションは、直列化された機械可読コードにマッピング可能なことと、
ＩＴシステムにおいて前記機械可読コードを読み取ることと、
前記ビジネスインタラクションによって要求される義務を果たすことに関連する管理タスクを生成することと、
を含み、
トランザクションパターンの前記有限集合と管理タスクは、
少なくとも、受け取り承認の時間、受け取り受諾の時間、実行時間、認証が必要な仕様、及び、オリジンとコンテンツの非拒否の仕様を含む提案及び受諾パターンと、
少なくとも実行時間を指定する照会／応答パターンと、
少なくとも実行時間を指定する要求／応答パターンと、
少なくとも実行時間を指定する要求／確認パターンと、
少なくとも受け取り承認の時間と実行時間を指定する情報配布パターンと、
少なくとも受け取り承認の時間と実行時間を指定する通知パターンと
を含むことを特徴とするコンピュータ読み取り可能な記録媒体。
【請求項１７】
サービス契約のＩＴシステム可読可能モデルを形成し、コンピューティングシステムにより読み取られると、対立する当事者間のビジネスインタラクションを管理する１つ又は複数のプロセッサを促進する複数のデータフィールドを含むコンピュータ読み取り可能な記録媒体であって、
サービス実装と、
サービスコミットメントと、
動作と、
含み、
前記サービス実装は、
サービスポリシーと、
サービス設定と、
実行されるタスクを定義するイベントと、デバッグおよび診断用のデータ提供のトレースと、プローブと、システム健全性イベントを定義するパフォーマンスカウンタを含むサービス実装とを含み、
前記サービスコミットメントは、
サービス運用規則とサービス履行規則とを含み、
前記サービス運用規則と前記サービス履行規則は、
パラメータと、
前記サービス契約で指定される諸条件を反映する条件と
を含み、
ビジネストランザクションパターンの有限集合に含まれる１つ又は複数のビジネストランザクションパターンを用いて前記諸条件は指定され、
前記ビジネストランザクションパターンは、定義可能なプロパティ値を有する管理タスクの有限集合を含み、前記サービスプロバイダと前記サービスコンシューマとの間のビジネスインタラクションは、直列化された機械可読コードにマッピング可能であり、
トランザクションパターンの有限集合と管理タスクは、
少なくとも、受け取り承認の時間、受け取り受諾の時間、実行時間、認証が必要な仕様、及び、オリジンとコンテンツの非拒否の仕様を含む提案及び受諾パターンと、
少なくとも実行時間を指定する照会／応答パターンと、
少なくとも実行時間を指定する要求／応答パターンと、
少なくとも実行時間を指定する要求／確認パターンと、
少なくとも受け取り承認の時間と実行時間を指定する情報配布パターンと、
少なくとも受け取り承認の時間と実行時間を指定する通知パターンと
を含み、
前記動作は、サービス計測からのデータに基づいて管理タスクをトリガする警報又は電子メールの少なくとも１つを含む
ことを特徴とするコンピュータ読み取り可能な記録媒体。
【請求項１８】
前記提案と受諾パターンは、受け取りの非拒否の仕様を更に含み、
前記要求／確認パターンは、受け取りの非拒否の仕様を更に含み、
前記通知パターンは、オリジンとコンテンツの非拒否の仕様と受け取りの非拒否の仕様とを更に含むことを特徴とする請求項１記載の方法。